(57)【要約】  アンテナの利得の低減を好適に抑制することができる携帯端末を提供すること。  操作部側筐体部２と表示部側筐体部３のいずれか一方に配置され、グランド部３１、給電部３２、及び該給電部３２に接続された信号処理部３８を有する回路部３３と、操作部側筐体部２に配置された第１の導電部３４と、表示部側筐体部３に配置された第２の導電部３５と、第１の導電部３４とグランド部３１とを電気的に接続すると共に第２の導電部３５と給電部３２とを電気的に接続する第１の状態と、第１の導電部３４と給電部３２とを電気的に接続すると共に第２の導電部３５とグランド部３１とを電気的に接続する第２の状態とを選択可能に構成された選択部３６と、選択部３６による第１の状態と第２の状態の選択を制御する制御部３７と、を有する。
2010061641.tif 000002
【特許請求の範囲】
【請求項１】
第１の筐体と、
第２の筐体と、
前記第１の筐体と前記第２の筐体のいずれか一方に配置され、グランド部、給電部、及び該給電部に接続された信号処理部を有する回路部と、
前記第１の筐体に配置された第１の導電部と、
前記第２の筐体に配置された第２の導電部と、
前記第１の導電部と前記グランド部とを電気的に接続すると共に前記第２の導電部と前記給電部とを電気的に接続する第１の状態と、前記第１の導電部と前記給電部とを電気的に接続すると共に前記第２の導電部と前記グランド部とを電気的に接続する第２の状態とを選択可能に構成された選択部と、
前記選択部による前記第１の状態と前記第２の状態の選択を制御する制御部と、を有することを特徴とする携帯端末。
【請求項２】
所定のパラメータを検出する検出部を有し、
前記制御部は、前記検出部により検出された前記所定のパラメータに基づいて前記選択部による前記第１の状態と前記第２の状態の選択を制御する、ことを特徴とする請求項１に記載の携帯端末。
【請求項３】
前記第１の導電部及び前記第２の導電部は、所定の周波数帯の信号に対して共振可能に構成され、
前記検出部は、前記第１の状態における前記第２の導電部の前記所定の周波数帯の信号に対する第１の共振感度と前記第２の状態における前記第１の導電部の前記所定の周波数帯の信号に対する第２の共振感度とを前記所定のパラメータとして検出し、
前記制御部は、前記検出部により検出された前記第１の共振感度と前記第２の共振感度とを対比し、前記第１の共振感度が前記第２の共振感度よりも高い場合には、前記選択部により前記第１の状態を選択し、前記第１の共振感度が前記第２の共振感度よりも低い場合には前記選択部により前記第２の状態を選択する、ことを特徴とする請求項２に記載の携帯端末。
【請求項４】
前記検出部は、接触状態、温度又は光度を前記所定のパラメータとして検出可能に構成され、
前記制御部は、前記検出部により前記第１の筐体が接触されている、前記第１の筐体が所定の温度範囲内の温度である又は第２の筐体の周囲が所定の光度以下の光度であると検出された場合には、前記選択部により前記第１の状態を選択し、前記検出部により前記第２の筐体が接触されている、前記第２の筐体が所定の温度範囲内の温度である又は第２の筐体の周囲が所定の光度以下の光度であると検出された場合には、前記選択部により前記第２の状態を選択する、ことを特徴とする請求項２に記載の携帯端末。
【請求項５】
所定の周期で間欠受信する第１のアンテナを有し、
前記制御部は、前記所定の周期に対応する周期で前記選択部による前記第１の状態と前記第２の状態の選択を制御する、ことを特徴とする請求項１に記載の携帯端末。
【請求項６】
機能動作部を有し、
前記制御部は、前記機能動作部により動作される機能に基づいて、前記選択部による前記第１の状態と前記第２の状態の選択を制御する、ことを特徴とする請求項１に記載の携帯端末。
【請求項７】
操作部を有し、
前記制御部は、前記機能動作部により前記操作部に対する操作を伴う機能が動作されているとき、前記第１の状態を選択する、ことを特徴とする請求項６に記載の携帯端末。
【請求項８】
外部機器と接続可能なコネクタを有し、
前記制御部は、前記コネクタに前記外部機器が接続されているとき前記第１の状態を選択する、ことを特徴とする請求項１に記載の携帯端末。
【請求項９】
前記第２の筐体に配置され音声を出力する音声出力部を有し、
前記制御部は、前記音声出力部により音声が出力されているとき前記第２の状態を選択する、ことを特徴とする請求項１に記載の携帯端末。
【請求項１０】
第２のアンテナと、
前記第２のアンテナにより送信又は受信される信号に係る機能を動作する機能動作部を有し、
前記選択部は、前記第１の導電部と前記グランド部とを電気的に接続すると共に、
前記第２の導電部と前記グランド部とを電気的に接続する第３の状態を選択可能に構成され、
前記制御部は、前記機能動作部により前記第２のアンテナにより送信又は受信される信号に係る機能が動作されるときに前記選択部により前記第３の状態を選択する、ことを特徴とする請求項１に記載の携帯端末。
【発明の詳細な説明】
【技術分野】
【０００１】
本発明は、第１の筐体と第２の筐体とを有する携帯端末に関する。
【背景技術】
【０００２】
携帯端末には、第１の筐体と第２の筐体とから構成され、使用態様に応じてヒンジ部を介して開状態と閉状態とに移行可能に構成される折り畳み型のものがある。このような折り畳み型の携帯端末では、アンテナを介して外部と通信を行う通信機能を有している。ここで、携帯端末のアンテナは、通信を行う際に、ユーザによって使用されたときに、その使用状態によっては人体の影響により利得が下がり、高い通信品質を担保することができなくなる。【０００３】
そこで、第１の筐体に配置された第１の導電部と第２の筐体に配置された第２の導電部のいずれか一方を給電し、いずれか他方をグランド（接地状態）にすることにより、使用状態に左右されずに高い通信品質を担保する技術が提案されている。例えば、特許文献１によれば、第１の導電部と第２の導電部のいずれか一方をアンテナとして利用することにより、ロッドタイプのアンテナに比して面積が広いため、ユーザの手によって一部が覆われたとしてもアンテナの利得の低減を抑えることができる技術が開示されている。
【特許文献１】特開２００２−３３５１８０号公報
【発明の開示】
【発明が解決しようとする課題】
【０００４】
しかし、特許文献１に代表される従来の携帯端末においても、さらにアンテナの利得の低減を抑制する技術は必要である。【０００５】
本発明は、上述のような課題に鑑みてなされたものであり、その目的の一つは、第１の導電部と第２の導電部のいずれか一方をアンテナに利用しつつ、アンテナの利得の低減を好適に抑制することができる携帯端末を提供することにある。
【課題を解決するための手段】
【０００６】
本発明に係る携帯端末は、上記課題を解決するために、第１の筐体と、第２の筐体と、前記第１の筐体と前記第２の筐体のいずれか一方に配置され、グランド部、給電部、及び該給電部に接続された信号処理部を有する回路部と、前記第１の筐体に配置された第１の導電部と、前記第２の筐体に配置された第２の導電部と、前記第１の導電部と前記グランド部とを電気的に接続すると共に前記第２の導電部と前記給電部とを電気的に接続する第１の状態と、前記第１の導電部と前記給電部とを電気的に接続すると共に前記第２の導電部と前記グランド部とを電気的に接続する第２の状態とを選択可能に構成された選択部と、前記選択部による前記第１の状態と前記第２の状態の選択を制御する制御部と、を有することを特徴とする。【０００７】
また、上記携帯端末では、所定のパラメータを検出する検出部を有し、前記制御部は、前記検出部により検出された前記所定のパラメータに基づいて前記選択部による前記第１の状態と前記第２の状態の選択を制御することが好ましい。【０００８】
また、上記携帯端末では、前記第１の導電部及び前記第２の導電部は、所定の周波数帯の信号に対して共振可能に構成され、前記検出部は、前記第１の状態における前記第２の導電部の前記所定の周波数帯の信号に対する第１の共振感度と前記第２の状態における前記第１の導電部の前記所定の周波数帯の信号に対する第２の共振感度とを前記所定のパラメータとして検出し、前記制御部は、前記検出部により検出された前記第１の共振感度と前記第２の共振感度とを対比し、前記第１の共振感度が前記第２の共振感度よりも高い場合には、前記選択部により前記第１の状態を選択し、前記第１の共振感度が前記第２の共振感度よりも低い場合には前記選択部により前記第２の状態を選択することが好ましい。【０００９】
また、上記携帯端末では、前記検出部は、接触状態、温度又は光度を前記所定のパラメータとして検出可能に構成され、前記制御部は、前記検出部により前記第１の筐体が接触されている、前記第１の筐体が所定の温度範囲内の温度である又は第２の筐体の周囲が所定の光度以下の光度であると検出された場合には、前記選択部により前記第１の状態を選択し、前記検出部により前記第２の筐体が接触されている、前記第２の筐体が所定の温度範囲内の温度である又は第２の筐体の周囲が所定の光度以下の光度であると検出された場合には、前記選択部により前記第２の状態を選択することが好ましい。【００１０】
また、上記携帯端末では、所定の周期で間欠受信する第１のアンテナを有し、前記制御部は、前記所定の周期に対応する周期で前記スイッチ部による前記第１の状態と前記第２の状態の選択を制御することが好ましい。【００１１】
また、上記携帯端末では、機能動作部を有し、前記制御部は、前記機能動作部により動作される機能に基づいて、前記選択部による前記第１の状態と前記第２の状態の選択を制御することが好ましい。【００１２】
また、上記携帯端末では、操作部を有し、前記制御部は、前記機能動作部により前記操作部に対する操作を伴う機能が動作されているとき、前記第１の状態を選択することが好ましい。【００１３】
また、上記携帯端末では、外部機器と接続可能なコネクタを有し、前記制御部は、前記コネクタに前記外部機器が接続されているとき前記第１の状態を選択することが好ましい。【００１４】
また、上記携帯端末では、前記第２の筐体に配置され音声を出力する音声出力部を有し、前記制御部は、前記音声出力部により音声が出力されているとき前記第２の状態を選択することが好ましい。【００１５】
また、上記携帯端末では、前記選択部は、前記第１の導電部と前記グランド部とを電気的に接続すると共に、前記第２の導電部と前記グランド部とを電気的に接続する第３の状態を選択可能に構成され、第２のアンテナと、前記第２のアンテナにより送信又は受信される信号に係る機能を動作する機能動作部を有し、前記制御部は、前記機能動作部により前記第２のアンテナにより送信又は受信される信号に係る機能が動作されるときに前記選択部により前記第３の状態を選択することが好ましい。
【発明の効果】
【００１６】
本発明によれば、アンテナの利得の低減を好適に抑制することができる。
【図面の簡単な説明】
【００１７】
【図１】本実施形態に係る携帯電話装置の外観を示す図である。
【図２】本実施形態に係る携帯電話装置における操作部側筐体部の分解斜視図である。
【図３】本実施形態に係る携帯電話装置における表示部側筐体部の分解斜視図である。
【図４】本実施形態に係る携帯電話装置において、表示部側筐体部を放射素子に切り替え、操作部側筐体部をグランド部に切り替えて第１の状態にした場合の選択部の構成を模式的に示す図である。
【図５】本実施形態に係る携帯電話装置において、操作部側筐体部を放射素子に切り替え、表示部側筐体部をグランド部に切り替えて第２の状態にした場合の選択部の構成を模式的に示す図である。
【図６】本実施形態に係る携帯電話装置の第１の構成を示す機能ブロック図である。
【図７】本実施形態に係る携帯電話装置の第２の構成を示す機能ブロック図である。
【図８】本実施形態に係る携帯電話装置において、操作部側筐体部及び表示部側筐体部をグランド部に切り替えて第３の状態にした場合の選択部の構成を模式的に示す図である。
【符号の説明】
【００１８】
１  携帯電話装置
２  操作部側筐体部（第１の筐体）
３  表示部側筐体部（第２の筐体）
３３  回路部
３４  第１の導電部
３５  第２の導電部
３６  選択部
３７  制御部
３８  信号処理部
３９  検出部
６３  第１のアンテナ
６４  第２のアンテナ
６７  機能動作部
【発明を実施するための形態】
【００１９】
以下、本発明の実施の形態について説明する。図１は、本発明に係る携帯端末の一例である携帯電話装置１の外観斜視図を示す。なお、以下では、携帯電話装置１について説明するが、本発明は携帯電話装置に限定されるものではなく、例えば、ＰＨＳ（Ｐｅｒｓｏｎａｌ  Ｈａｎｄｙ  ｐｈｏｎｅ  Ｓｙｓｔｅｍ）、ＰＤＡ（Ｐｅｒｓｏｎａｌ  Ｄｉｇｉｔａｌ  Ａｓｓｉｓｔａｎｔ）、ポータブルナビゲーション装置、ノートパソコン等であっても良い。
【００２０】
図１に示すように、携帯電話装置１は、操作部側筐体部２と、表示部側筐体部３と、を備える。操作部側筐体部２（第１の筐体）と表示部側筐体部３（第２の筐体）とは、ヒンジ機構を備える連結部４を介して開閉可能に連結される。具体的には、操作部側筐体部２の上端部と表示部側筐体部３の下端部とは、連結部４を介して連結される。これにより、携帯電話装置１は、ヒンジ機構を介して連結された操作部側筐体部２と表示部側筐体部３とを相対的に動かすことが可能に構成される。つまり、携帯電話装置１は、操作部側筐体部２と表示部側筐体部３とが開いた状態（開状態）と、操作部側筐体部２と表示部側筐体部３とが折り畳まれた状態（閉状態）とにすることができる。ここで、閉状態とは、両筐体が互いに重なるように配置された状態であり、開状態とは、両筐体が互いに重ならないように配置された状態をいう。
【００２１】
操作部側筐体部２は、外面がフロントケース２ａとリアケース２ｂとにより構成される。操作部側筐体部２は、フロントケース２ａ側に、操作キー群１１と、携帯電話装置１の使用者が通話時に発した音声が入力されるマイクとしての音声入力部１２とがそれぞれ露出するように構成される。
【００２２】
操作キー群１１は、各種設定や電話帳機能やメール機能等の各種機能を作動させるための機能設定操作キー１３と、電話番号の数字やメール等の文字等を入力するための入力操作キー１４と、各種操作における決定や上下左右方向のスクロール等を行う操作部材としての決定操作キー１５とにより構成される。操作キー群１１を構成する各キーそれぞれには、操作部側筐体部２と表示部側筐体部３との開閉状態や各種モード、或いは起動されているアプリケーション等の種類に応じて所定の機能が割り当てられる（キー・アサイン）。そして、使用者が各キーを押圧することにより、各キーに割り当てられている機能に応じた動作が実行される。
【００２３】
音声入力部１２は、操作部側筐体部２の長手方向における連結部４側と反対の外端部側に配置される。つまり、音声入力部１２は、携帯電話装置１が開状態において一方の外端部側に配置される。
【００２４】
操作部側筐体部２における一方側の側面には、外部機器（例えば、ホスト装置）と通信を行うためのインターフェース（図示せず）が配置される。操作部側筐体部２の他方側の側面には、所定の機能が割り当てられているサイドキーと、外部メモリの挿入及び取り出しが行われるインターフェース（図示せず）とが配置される。インターフェースは、キャップにより覆われている。各インターフェースは、不使用時にはキャップにより覆われる。
【００２５】
表示部側筐体部３は、外面がフロントパネル３ａと、フロントケース３ｂと、リアケース３ｃと、リアパネル３ｄとにより構成される（図３参照）。
表示部側筐体部３には、各種情報を表示するためのディスプレイ２１と、通話の相手側の音声を出力するレシーバとしての音声出力部２２と、被写体を撮像するＣＣＤ（Ｃｈａｒｇｅ  Ｃｏｕｐｌｅｄ  Ｄｅｖｉｃｅ）カメラ等により構成される撮像部２３と、音楽等を外部に出力するスピーカ２４と、が外部に露出するように配置される。
ディスプレイ２１は、液晶パネルと、この液晶パネルを駆動する駆動回路と、この液晶パネルの背面側から光を照射するバックライト等の光源部とから構成される。
【００２６】
図２は、操作部側筐体部２の分解斜視図である。図２に示すように、操作部側筐体部２は、フロントケース２ａと、キー構造部４０（操作部）と、キー基板５０と、シールドケース６０と、回路基板７０と、バッテリリッド２ｃを備えたリアケース２ｂと、第１のケース部材３０と、バッテリ８１とを備える。
【００２７】
フロントケース２ａとリアケース２ｂとは、互いの凹状の内側面が向き合うように配置され、互いの外周縁が重なり合うようにして結合される。また、フロントケース２ａとリアケース２ｂとの間には、キー構造部４０と、ＦＰＣ部９０を有するキー基板５０と、シールドケース６０と、回路基板７０とが挟まれるようにして内蔵される。
【００２８】
フロントケース２ａには、携帯電話装置１を折り畳んだ状態で表示部側筐体部３のディスプレイ２１と対向する内側面に、キー孔１３ａ、１４ａ、１５ａが形成される。キー孔１３ａ、１４ａ、１５ａそれぞれからは、機能設定操作キー１３を構成する機能設定操作キー部材１３ｂの押圧面、入力操作キー１４を構成する入力操作キー部材１４ｂの押圧面、及び決定操作キー１５を構成する決定操作キー部材１５ｂの押圧面が露出される。この露出した機能設定操作キー部材１３ｂ、入力操作キー部材１４ｂ及び決定操作キー部材１５ｂの押圧面を押し下げるように押圧することで、対応するキースイッチ５１、５２、５３それぞれに設けられる後述のメタルドーム（椀状形状）の頂点が押圧され、スイッチ端子に接触して電気的に導通する。
【００２９】
キー構造部４０は、操作部材４０Ａと、補強部材としてのキーフレーム４０Ｂと、シート部材としてのキーシート４０Ｃと、により構成される。
【００３０】
操作部材４０Ａは、複数のキー操作部材により構成される。具体的には、機能設定操作キー部材１３ｂと、入力操作キー部材１４ｂと、決定操作キー部材１５ｂとにより構成される。操作部材４０Ａを構成する各操作キー部材それぞれは、後述するキーフレーム４０Ｂを挟んでキーシート４０Ｃに接着される。キーシート４０Ｃに接着された各操作キー部材それぞれにおける押圧面は、上述の通り、キー孔１３ａ、１４ａ、１５ａそれぞれから外部に露出して配置される。
【００３１】
キーフレーム４０Ｂは、孔部１４ｃが複数形成された金属性の板状部材である。キーフレーム４０Ｂは、入力操作キー部材１４ｂの押圧による回路基板７０等への悪影響を防ぐための補強部材である。また、キーフレーム４０Ｂは導電性の部材であり、入力操作キー部材１４ｂにおける静電気を逃がすための部材としても機能する。キーフレーム４０Ｂに形成される複数の孔部１４ｃには、後述するキーシート４０Ｃに形成される凸部１４ｄが嵌合するように配置される。そして、この凸部１４ｄに入力操作キー部材１４ｂが接着される。
【００３２】
キーシート４０Ｃは、可撓性を有するシリコンゴム製のシート状部材である。キーシート４０Ｃには、上述の通り、複数の凸部１４ｄが形成される。複数の凸部１４ｄは、キーシート４０Ｃにおけるキーフレーム４０Ｂが配置される側の面に形成される。これら複数の凸部１４ｄそれぞれは、後述するキースイッチ５２に対応する位置に形成される。
【００３３】
キー基板５０は、キーシート４０Ｃ側の面である第１面５０ａに配置される複数のキースイッチ５１、５２、５３を有する。複数のキースイッチ５１、５２、５３、それぞれは、各操作部材４０Ａに対応する位置に配置される。キー基板５０に配置されるキースイッチ５１、５２、５３は、椀状に湾曲して立体的に形成された金属板のメタルドームを有する構造になっている。メタルドームは、その椀状形状の頂点が押圧されると、キー基板５０の表面に印刷された電気回路（図示せず）に形成されるスイッチ端子に接触して電気的に導通するように構成される。また、キー基板５０における第２面５０ｂ側には、複数の電極配線が形成される。このキー基板５０は、基板としてのＦＰＣ部９０を介して回路基板７０と電気的に接続される。
【００３４】
シールドケース６０は、平面視矩形で、回路基板７０側の面が開放された薄型の箱状である。このシールドケース６０は、平板部６１と、この平板部６１の周縁部から略垂直に突出するリブ部６２と、を備える。シールドケース６０は、リブ部６２が回路基板７０に形成された基準電位パターン層７５に当接するように配置される。シールドケース６０は、金属材料により形成されており、導電性を有する。
【００３５】
回路基板７０は、一方の面７０ａに形成された基準電位パターン層７５（第１の導電部）を有する。また、この回路基板７０には、携帯電話装置用のＲＦモジュール等の各種電子部品（図示せず）や高周波信号の処理を行うＲＦ回路部３３（回路部）が実装されている。
【００３６】
図３は、表示部側筐体部３の分解斜視図である。図３に示すように、表示部側筐体部３は、フロントパネル３ａと、フロントケース３ｂと、ディスプレイ２１と、ディスプレイ２１が接続された回路基板８０と、リアケース３ｃと、リアパネル３ｄとを備える。また、表示部側筐体部３においては、フロントパネル３ａと、フロントケース３ｂと、ディスプレイ２１と、回路基板８０と、リアケース３ｃと、リアパネル３ｄとが積層的に配置される。
【００３７】
図３に示すように、フロントケース３ｂとリアケース３ｃとは、互いの凹状の内側面が向き合うように配置され、互いの外周縁が重なり合うようにして結合される。また、フロントケース３ｂとリアケース３ｃとの間には、ディスプレイ２１と、回路基板８０とが挟まれるようにして内蔵される。また、回路基板８０には、基準電位パターン層（第２の導電部）が形成されている。
【００３８】
また、携帯電話装置１では、操作部側筐体部２と表示部側筐体部３との間において、図示しないフレキシブルプリント基板（Ｆｌｅｘｉｂｌｅ  Ｐｒｉｎｔｅｄ  Ｃｉｒｃｕｉｔｓ：以下ＦＰＣと称す）により、表示部側筐体部３の内部に配設されている回路基板８０と、操作部側筐体部２の内部に配設されている回路基板７０とが電気的に接続されている。
【００３９】
なお、図１は、いわゆる折り畳み型の携帯電話装置の形態を示しているが、本発明に係る携帯電話装置の形態としては特にこれに限られず、操作部側筐体部２と表示部側筐体部３とを重ね合わせた状態から一方の筐体を一方向にスライドさせるようにしたスライド式や、操作部側筐体部２と表示部側筐体部３との重ね合せ方向に沿う軸線を中心に一方の筐体を回転させるようにした回転式（ターンタイプ）等であっても良い。
【００４０】
本発明に係る携帯電話装置１は、操作部側筐体部２に配置された第１の導電部３４又は表示部側筐体部３に配置された第２の導電部３５のいずれか一方側をアンテナの放射素子とし、他方側をアンテナのグランド部とすることで、１個のアンテナ（ダイポールアンテナ）を構成しており、一定条件下において、第１の導電部３４を放射素子に切り替え、かつ第２の導電部３５をグランド部に切り替える機能と、第２の導電部３５を放射素子に切り替え、かつ第１の導電部３４をグランド部に切り替える機能を有している。
【００４１】
ここで、当該機能を発揮するための構成について、図４及び図５に示す模式図を用いて説明する。なお、以下では、第１の導電部３４及び第２の導電部３５によって構成されるアンテナは、例えば、地上波デジタル放送を受信するものと想定して説明するが、これに限られず、ＣＤＭＡ（Ｃｏｄｅ  Ｄｉｖｉｓｉｏｎ  Ｍｕｌｔｉｐｌｅ  Ａｃｃｅｓｓ）通信に利用されるメインアンテナとして利用されても良い。
【００４２】
携帯電話装置１は、図４及び図５に示すように、操作部側筐体部２と、表示部側筐体部３と、回路部３３と、第１の導電部３４と、第２の導電部３５と、選択部３６と、制御部３７とを有する。なお、第１の導電部３４は、例えば、回路基板７０の基準電位パターン層７５、シールドケース６０、操作部側筐体部２を形成する導電部材等により構成される。また、第２の導電部３５は、例えば、回路基板８０の基準電位パターン層、シールドケース（図示せず）、表示部側筐体部３を形成する導電部材等により構成される。
【００４３】
回路部３３は、操作部側筐体部２と表示部側筐体部３のいずれか一方に配置され、グランド部３１ａ，３１ｂと給電部３２ａ，３２ｂと、信号処理部３８とを有する。なお、信号処理部３８は、アンテナ特性に影響がないよう、グランド部３１ａ、３１ｂと同電位に構成される。第１の導電部３４は、操作部側筐体部２に配置されている。第２の導電部３５は、表示部側筐体部３に配置されている。
【００４４】
選択部３６は、切り替えスイッチ３６ａ、切り替えスイッチ３６ｂ及び切り替えスイッチ３６ｃから構成され、第１の導電部３４とグランド部３１ｂとを電気的に接続すると共に第２の導電部３５と給電部３２の一構成である給電部３２ａとを電気的に接続する第１の状態（図４に模式的に示す状態）と、第１の導電部３４と給電部３２の一構成である給電部３２ｂとを電気的に接続すると共に第２の導電部３５とグランド部３１ａとを電気的に接続する第２の状態（図５に模式的に示す状態）とを選択可能に構成されている。
【００４５】
制御部３７は、選択部３６による第１の状態と第２の状態の選択を制御する。ここで、第１の状態とは、ユーザが操作部側筐体部２を保持している際に選択部３６により選択される状態を推定している。また、第２の状態とは、ユーザが表示部側筐体部３を保持している際に選択部３６により選択される状態を推定している。また、信号処理部３８は、給電部３２から供給された信号又は給電部３２に供給する信号を処理するＲＦ回路を含んで構成されている。
【００４６】
つぎに、選択部３６による具体的な選択動作について説明する。制御部３７は、第１の状態においては、図４に示すように、第２の導電部３５と給電部３２ａとが電気的に接続されるように切り替えスイッチ３６ａを選択し、また、給電部３２ａと信号処理部３８とが電気的に接続されるように切り替えスイッチ３６ｂを選択するように制御を行う。こうすることにより、第２の導電部３５は、給電部３２を介して信号処理部３８に接続されるので、アンテナの放射素子としての機能を発揮する。
【００４７】
また、第１の状態においては、制御部３７は、図４に示すように、第１の導電部３４とグランド部３１ｂとが電気的に接続されるように切り替えスイッチ３６ｃを選択するように制御を行う。こうすることにより、操作部側筐体部２は、第１の導電部３４を介してグランド部３１ｂに接続されるので、アンテナのグランド部としての機能を発揮する。
【００４８】
また、第２の状態においては、制御部３７は、図５に示すように、第２の導電部３５とグランド部３１ａとが電気的に接続されるように切り替えスイッチ３６ａを選択する制御を行う。こうすることにより、表示部側筐体部３は、第２の導電部３５を介してグランド部３１ａに接続されるので、アンテナのグランド部としての機能を発揮する。
【００４９】
また、第２の状態においては、制御部３７は、図５に示すように、第１の導電部３４と給電部３２ｂとが電気的に接続されるように切り替えスイッチ３６ｃを選択し、また、給電部３２ｂと信号処理部３８とが電気的に接続されるように切り替えスイッチ３６ｂを選択する制御を行う。こうすることにより、第２の導電部３５は、給電部３２を介して信号処理部３８に接続されるので、アンテナの放射素子としての機能を発揮する。
【００５０】
したがって、携帯電話装置１は、ユーザの使用状態に応じて第１の状態と第２の状態とを選択するので、アンテナ特性を制御することができる。なお、上述では、回路部３３にグランド部３１ａ、３１ｂが設けられ、第１の状態においては、第１の導電部３４はグランド部３１ｂに電気的に接続され、第２の状態においては、第２の導電部３５は、グランド部３１ａに電気的に接続されるものとして説明したが、これに限られない。グランド部３１ｂと第１の導電部３４、及びグランド部３１ａと第２の導電部３５が同電位であれば良く、直接的に接続されず容量的に接続されても良い。
【００５１】
また、携帯電話装置１は、図６に示すように、所定のパラメータ（例えば、共振感度、光遮蔽度、接触状態、温度等）を検出する検出部３９を有する構成であっても良い。このような構成の場合には、制御部３７は、検出部３９により検出された所定のパラメータに基づいて選択部３６による第１の状態と第２の状態の選択を制御する。
【００５２】
例えば、携帯電話装置１は、選択部３６を制御して第１の状態において動作しているときに、共振感度が低下したことを検出部３９により検出した場合には、第２の状態を選択するように選択部３６を制御する。
【００５３】
このようにして、携帯電話装置１では、所定のパラメータに基づいて第１の状態又は第２の状態を選択するため、使用状態に応じたアンテナ特性の低下を抑制することができる。
【００５４】
また、第１の導電部３４及び第２の導電部３５は、所定の周波数帯の信号に対して共振可能に構成されることが好ましい。検出部３９は、第１の状態における第２の導電部３５の所定の周波数帯の信号に対する第１の共振感度と、第２の状態における第１の導電部３４の所定の周波数帯の信号に対する第２の共振感度とを所定のパラメータとして検出する。制御部３７は、検出部３９により検出された第１の共振感度と第２の共振感度とを対比し、第１の共振感度が第２の共振感度よりも高い場合には、選択部３６により第１の状態を選択し、第１の共振感度が第２の共振感度よりも低い場合には選択部３６により第２の状態を選択する。
【００５５】
つまり、携帯電話装置１は、いわゆる、ダイバーシティー方式による受信方式を採用し、第１の状態における共振感度（第１の共振感度）を検出し、その後、第１の状態から第２の状態を選択し、第２の状態における共振感度（第２の共振感度）を検出し、第１の共振感度と第２の共振感度を対比して、第１の共振感度が第２の共振感度よりも高い場合には、選択部３６により第１の状態を選択し、第１の共振感度が第２の共振感度よりも低い場合には選択部３６により第２の状態を選択する。
【００５６】
このようにして、携帯電話装置１では、共振感度に基づいて第１の状態又は第２の状態を選択するため、使用状態に応じたアンテナ特性の低下を抑制することができる。
【００５７】
本発明の携帯電話装置１は、第１の状態と第２の状態とを切り替えることにより、アンテナの放射素子とアンテナのグランド部とを切り替える構成としている点で、複数のアンテナを切り替えて最適な受信感度のアンテナを選択する従来のダイバーシティー方式の携帯電話装置と大きく異なる。つまり、このように、他の導電部を用いることなく第１の導電部３４及び第２の導電部３５という２つの導電部を用いたダイバーシティー方式を採用することにより、従来のダイバーシティー方式を採用する場合に比して部品点数の削減や筐体構造の簡素化も併せて図られることとなる。
【００５８】
また、検出部３９は、接触状態、温度又は光度を所定のパラメータとして検出可能に構成されることが好ましい。この場合、制御部３７は、検出部３９により操作部側筐体部２が接触されている、操作部側筐体部２が所定の温度範囲内の温度（例えば、３０℃〜４０℃）である、又は表示部側筐体部３の周囲が所定の光度以下の光度であると検出された場合には、選択部３６により第１の状態を選択する。また、制御部３７は、検出部３９により表示部側筐体部３が接触されている、表示部側筐体部３が所定の温度範囲内の温度（例えば、３０℃〜４０℃）である、又は表示部側筐体部３の周囲が所定の光度以下の光度であると検出された場合には、選択部３６により第２の状態を選択する。
【００５９】
検出部３９は、ユーザによる接触を検出するために、操作部側筐体部２及び表示部側筐体部３の全体にタッチセンサの検出素子を配置し、当該検出素子によりユーザの接触を検出する。制御部３７は、検出部３９により操作部側筐体部２が接触されていると検出された場合には、選択部３６により第１の状態を選択する。また、制御部３７は、検出部３９により表示部側筐体部３が接触されていると検出された場合には、選択部３６により第２の状態を選択する。これにより、ユーザにより接触を受ける領域と、アンテナ素子として機能する第１の導電部３４又は第２の導電部３５とをできるだけ離間させることができ、アンテナ特性の低下を抑制することができる。
【００６０】
また、検出部３９は、ユーザによる接触を検出するために、操作部側筐体部２及び表示部側筐体部３の所定の部分（ユーザが接触しそうな部分）に温度センサの検出素子を配置し、当該検出素子により温度変化を検出する。制御部３７は、検出部３９により操作部側筐体部２が所定の温度範囲内の温度（例えば、３０℃〜４０℃）であると検出された場合には、操作部側筐体部２がユーザによる接触を受けているとの推定に基づき、選択部３６により第１の状態を選択する。また、制御部３７は、検出部３９により表示部側筐体部３が所定の温度範囲内の温度（例えば、３０℃〜４０℃）であると検出された場合には、表示部側筐体部３がユーザによる接触を受けているとの推定に基づき、選択部３６により第２の状態を選択する。これにより、ユーザにより接触を受ける領域と、アンテナ素子として機能する第１の導電部３４又は第２の導電部３５とをできるだけ離間させることができ、アンテナ特性の低下を抑制することができる。
【００６１】
また、検出部３９は、ユーザによる接触を検出するために、操作部側筐体部２及び表示部側筐体部３の所定の部分（ユーザが接触しそうな部分）に明るさを検出するセンサ（フォトセンサ）の検出素子を配置し、当該検出素子により光度変化を検出する。制御部３７は、検出部３９により操作部側筐体部２の周囲が所定の光度以下の光度であると検出された場合には、操作部側筐体部２がユーザによる接触を受けているとの推定に基づき、選択部３６により第１の状態を選択する。また、制御部３７は、検出部３９により表示部側筐体部３の周囲が所定の光度以下の光度であると検出された場合には、表示部側筐体部３がユーザによる接触を受けているとの推定に基づき、選択部３６により第２の状態を選択する。これにより、ユーザにより接触を受ける領域と、アンテナ素子として機能する第１の導電部３４又は第２の導電部３５とをできるだけ離間させることができ、アンテナ特性の低下を抑制することができる。
【００６２】
このようにして、携帯電話装置１では、接触状態、温度又は光度に基づいて第１の状態又は第２の状態を選択するため、ユーザの使用状態に応じたアンテナ特性の低下を抑制することができる。なお、携帯電話装置１は、タッチセンサと、温度センサと、フォトセンサとを複合的に利用する構成であっても良い。
【００６３】
また、携帯電話装置１は、所定の機能を動作する機能動作部を備える構成であっても良い。この場合、制御部３７は、機能動作部により動作される機能に基づいて、選択部３６による第１の状態と第２の状態の選択を制御することが好ましい。
この場合、制御部３７は、例えば、メール機能やＷｅｂブラウザ機能が起動されているとき、その他キー構造部４０に対する操作を伴う機能が動作されているとき、及び携帯電話装置１にイヤホンコネクタやデータ通信用コネクタ等外部機器と接続可能なコネクタが設けられている場合においてこれらのコネクタにケーブルが装着されているときには、操作部側筐体部２がユーザによる接触を受けているとの推定に基づき、選択部３６により第１の状態を選択する。また、制御部３７は、イヤホンコネクタにケーブルが装着されていない状態で通話機能が起動されているときには、表示部側筐体部３がユーザによる接触を受けている（使用者の耳が表示部側筐体部３の音声出力部２２に押し当てられている）との推定に基づき、選択部３６により第２の状態を選択する。これにより、ユーザにより接触を受ける領域と、アンテナ素子として機能する第１の導電部３４又は第２の導電部３５とをできるだけ離間させることができ、アンテナ特性の低下を抑制することができる。
また、制御部３７は、例えば、携帯電話装置１が充電用の置き台に装着されているときには、選択部３６により第１の状態を選択するような構成としても良い。
【００６４】
携帯電話装置１は、図７に示すように、所定の周期で間欠的（例えば、数秒に一度、数百ｍｓｅｃ程度の間隔）に受信する第１のアンテナ６３（例えば、待受状態において間欠受信を行うＣＤＭＡアンテナ）と、第１のアンテナ６３に接続されて所定の通信制御を行う通信部６４と、通信部６４に電源を供給する電源部６５を有する構成が好ましい。このような構成の場合には、制御部３７は、所定の周期に対応する周期で電源部６５から電源が供給され、選択部３６による第１の状態と第２の状態の選択を制御する。
【００６５】
したがって、携帯電話装置１は、所定の周期で行われる間欠受信の際に制御部３７の制御が行われるので、本実施例に係る制御部３７の動作を実行するためだけに電力を供給する必要がなく、省電力化を図ることができる。また、携帯電話装置１は、所定の周期で制御が行われるため、アンテナ特性の低下を継続的に抑制することができる。
【００６６】
また、携帯電話装置１は、図８に示すように、第２のアンテナ６６と、第２のアンテナ６６により送信又は受信される信号（例えば、地上波デジタル放送に係る信号、ＣＤＭＡ通信に係る信号、ＧＰＳ（Ｇｌｏｂａｌ  Ｐｏｓｉｔｉｏｎｉｎｇ  Ｓｙｓｔｅｍ）通信に係る信号、無線ＬＡＮに係る信号、ＲＦＩＤに係る信号等）に係る機能を動作する機能動作部６７を備える構成であっても良い。このような構成の場合には、選択部３６は、制御部３７の制御に応じて、第１の導電部３４とグランド部３１ｂとを電気的に接続すると共に、第２の導電部３５とグランド部３１ａとを電気的に接続する状態（第３の状態）に選択される。制御部３７は、機能動作部６７により、第２のアンテナ６６により送信又は受信される信号に係る機能が動作されるときに第３の状態になるように選択部３６を切り替える。
【００６７】
第３の状態においては、携帯電話装置１は、操作部側筐体部２及び表示部側筐体部３が共にアンテナのグランド部としての機能を発揮するため、いわゆる筐体アンテナとしての機能は発揮しない状態になる。
【００６８】
このようにして、携帯電話装置１では、第２のアンテナ６６を使用する場合には、筐体アンテナとしての機能を停止させるため、アンテナ間の干渉を防止することができる。また、携帯電話装置１は、第３の状態においては、操作部側筐体部２及び表示部側筐体部３のグランド部が同電位になるため、グランド部を流れる高周波電流が整流され、第２のアンテナ６６のアンテナ特性を向上することができる。なお、第２のアンテナ６６は、上述した第１のアンテナ６３と同一のものであっても良い。
【図１】
2010061641.tif 000003
【図２】
2010061641.tif 000004
【図３】
2010061641.tif 000005
【図４】
2010061641.tif 000006
【図５】
2010061641.tif 000007
【図６】
2010061641.tif 000008
【図７】
2010061641.tif 000009
【図８】
2010061641.tif 000010
【国際調査報告】
2010061641.tif 000011
2010061641.tif 000012
2010061641.tif 000013
2010061641.tif 000014